(57)【要約】      （修正有）【課題】トレーニングの効果を向上でき、速やかに取り外しと組み立てができるローラートレーニング器具を提供する。【解決手段】軸体１０と二つの握り部材２０と複数のローラー３０を含み、軸体１０の表面に対称的に右ねじ山部１１と左ねじ山部１２が形成され、軸体１０の両端にそれぞれ連結部１４が設けられる。両握り部材２０はそれぞれ穿孔２１が開けられ、穿孔２１の内壁面に内ねじ山部２２が形成される。握り部材２０はそれぞれ穿孔２１によって軸体１０の右ねじ山部１１と左ねじ山部１２に取り付けられる。両握り部材２０の間に少なくとも一つの弾性部材２４が連結される。複数のローラー３０は全て中央に軸穴３１が設けられ、軸穴３１に合わせて軸体１０両端の連結部１４に取り付けられる。そして、ローラー３０には、軸体１０の連結部１４の両末端に、それぞれカバー体３２が取り付けられる。【選択図】図２
0003210047.tif 000002
【実用新案登録請求の範囲】
【請求項１】
軸体と、二つの握り部材と、複数のローラーとを含むローラートレーニング器具であって、
上記軸体は、表面に対称的に右ねじ山部と左ねじ山部が形成され、上記右ねじ山部と上記左ねじ山部との間に阻止部材が設けられ、また上記軸体の両端にそれぞれ連結部が設けられ、
上記二つの握り部材は、それぞれ穿孔が開けられ、穿孔の内壁面に内ねじ山部が形成され、また上記握り部材はそれぞれ穿孔によって上記軸体の右ねじ山部と左ねじ山部に取り付けられることで、上記内ねじ山部が上記右ねじ山部と左ねじ山部に噛み合わせられ、両握り部材は阻止部材に向かって連接リングがそれぞれ形成され、また両連接リングの間に少なくとも一つの弾性部材が連結され、
上記ローラーは、全て中央に軸穴が設けられ、また上記ローラーは軸穴に合わせて上記軸体両端の連結部に取り付けられ、上記ローラーは上記軸体の連結部の両末端にはそれぞれカバー体が取り付けられ、上記カバー体によって上記ローラーと軸体は結合して固定され、ローラーが前後に回転する時、両握り部材は右ねじ山部と左ねじ山部に沿って同時に内移動と外移動の動作が生じ、弾性部材によって握り部材間で阻止部材側に向かう慣性引張力が形成されるため、ローラー運動によるトレーニング効果が強化されることを特徴とするローラートレーニング器具。
【請求項２】
上記軸体は連結部の内側にＵ型弾性板が設けられ、また上記Ｕ型弾性板の両端にそれぞれ突起部が設けられ、上記カバー体に両貫通孔が開けられ、上記突起部が連結部と貫通孔を突き抜いたことで上記カバー体と上記軸体を速やかに取り外せて固定されることを特徴とする請求項１のローラートレーニング器具。
【請求項３】
上記軸体の連結部にはスリーブが取り付けられ、上記スリーブが上記ローラーの軸穴部に通されることを特徴とする請求項１のローラートレーニング器具。
【請求項４】
上記ローラーは軸穴側より外に向かって放射線状に複数のリブが形成され、また上記カバー体は上記ローラー方向に向かって複数の位置限定溝が形成され、上記カバー体は位置限定溝によって上記ローラーのリブに取り付けられることで上記カバー体とローラーは同時回転されることを特徴とする請求項１のローラートレーニング器具。
【請求項５】
上記握り部材は連接リング部材に放射線状に複数の切開溝が設けられ、また上記切開溝の底部にタンデム接続穴が形成され、上記切開溝に弾性部材が入れられ、弾性部材が上記タンデム接続穴部材に位置限定されることを特徴とする請求項１のローラートレーニング器具。
【請求項６】
上記弾性部材は弾力リングであり、弾力リングが両握り部材の間にある隣同士の四箇所のタンデム接続穴に巻き付けられることを特徴とする請求項５のローラートレーニング器具。  
【請求項７】
上記握り部材は連接リング部材に複数のタンデム接続穴が貫通され、また上記タンデム接続穴が弾性部材の連結固定に提供されることを特徴とする請求項１のローラートレーニング器具。  
【請求項８】
上記弾性部材は伸縮バネであり、伸縮バネが両握り部材の向かい合う二箇所のタンデム接続穴に引っ掛けられることを特徴とする請求項５又は請求項７に記載のローラートレーニング器具。  
【請求項９】
上記弾性部材は弾性縄であり、弾性縄が両握り部材の全てのタンデム接続穴部材に巻き付けられることを特徴とする請求項５又は請求項７に記載のローラートレーニング器具。
【請求項１０】
上記連接リングの周縁に複数のロック穴が設けられ、両握り部材の連接リング部材にそれぞれカバーが設けられ、上記カバーが等しい数量のボルトによって上記ロック穴部材に締め付けられ、また上記カバーはそれぞれ上記軸体の阻止部材に向かってシェルカバーが伸び、上記シェルカバーによって上記弾性部材を阻止し、遮蔽されることを特徴とする請求項１のローラートレーニング器具。
【考案の詳細な説明】
【技術分野】
【０００１】
本考案は小型のトレーニング器具に関し、特にトレーニング効果と速やかに取り外しと組み立てることを兼ねるローラートレーニング器具に関する。
【背景技術】
【０００２】
従来のローラートレーニング器具の構造は図１１に示されるように、該ローラートレーニング器具は軸体と二つのローラーを含む。該ローラーは該軸体の両端に組み立てられ、それにナットがローラーの外側に取り付けられることで枢設が形成される。また、該軸体は両ローラーの内側に二つの粗面が加工され、該粗面は使用者が両手で持つために提供される。使用者が両手で軸体を押し上げることによってローラーが回転し、トレーニングの目的が達成できる。しかし、上述の従来構造において不足する部材があることはわかりやすく、主な原因は以下である。（一）該ローラートレーニング器具はローラーが前後に回転する機能しかなく、運動する際は手が一定の幅を保って該粗面を持つため、運動のバリエーションとトレーニングの強度を有効に向上できず、トレーニング運動が単調となり、トレーニング効果も不足する。（二）該ローラーはナットの締め付けによって該軸体の両端に位置が限定され、ローラーは軸体に対して回転する必要があるため、ローラーと軸体の間の隙間は精密に制御する必要がある。その安定性を求めるため、該ナットは非必要時に取り外すことを推奨しない。それにナットの取り外しはとても面倒であるため、従来のローラートレーニング器具は取り外しにくく、携帯と収納の機能を欠くのである。
【０００３】
従って、本考案者は長年にわたって関係商品の製造開発と設計に携わった経験により、上述の目標について緻密に設計するとともに慎重に検討した結果、実用性に満ちた本考案を得た。
【考案の概要】
【考案が解決しようとする課題】
【０００４】
本考案が解決しようとする課題は現在技術における上述の欠点を解決し、ローラートレーニング器具を提供する。
【課題を解決するための手段】
【０００５】
本考案のローラートレーニング器具は軸体の表面に対称的に右ねじ山部と左ねじ山部が形成される。また該右ねじ山部と左ねじ山部の間に阻止部材が設けられ、該軸体の両端にそれぞれ連結部が設けられる。両握り部材はそれぞれ穿孔が開けられ、また該穿孔の内壁面に内ねじ山部が形成される。該握り部材はそれぞれ穿孔によって該軸体の右ねじ山部と左ねじ山部に取り付けられることで、該内ねじ山部が該右ねじ山部と左ねじ山部と噛み合わせられる。両握り部材は阻止部材に向かって連接リングがそれぞれ形成され、また両連接リングの間に少なくとも一つの弾性部材が連結される。複数のローラーは全て中央に軸穴が設けられ、また該ローラーは軸穴に合わせて該軸体両端の連結部に取り付けられる。そして、該ローラーは該軸体の連結部の両末端にはそれぞれカバー体が取り付けられ、該カバー体によって該ローラーと軸体は結合して固定される。それに該軸体の右ねじ山部と左ねじ山部は該連結部と連結する部材にそれぞれ阻止リングが形成され、また該ローラーは該阻止リングと該カバー体の間に挟まれる。
【０００６】
該軸体は連結部の内側にＵ型弾性板が設けられ、また該Ｕ型弾性板の両端にそれぞれ突起部が設けられ、該カバー体に両貫通孔が開けられ、該突起部が連結部と貫通孔を突き抜いたことで該カバー体と該軸体を速やかに取り外せて固定される。
【０００７】
該軸体の連結部にはスリーブが取り付けられ、該スリーブが該ローラーの軸穴部材に通される。
【０００８】
該ローラーは軸穴側より外に向かって放射線状に複数のリブが形成される。また該カバー体は該ローラー方向に向かって複数の位置限定溝が形成され、該カバー体は位置限定溝によって該ローラーのリブに取り付けられることで該カバー体とローラーは同時回転される。
【０００９】
該握り部材は連接リング部材に放射線状に複数の切開溝が設けられる。また該切開溝の底部にタンデム接続穴が形成され、該切開溝に弾性部材が入れられ、弾性部材が該タンデム接続穴部材に位置が限定される。
【００１０】
該弾性部材は弾力リングであり、弾力リングが両握り部材の間にある隣同士の四箇所のタンデム接続穴に巻き付けられる。
【００１１】
該握り部材は連接リング部材に複数のタンデム接続穴が貫通され、また該タンデム接続穴が弾性部材の連結固定に提供される。
【００１２】
該弾性部材は伸縮バネであり、伸縮バネが両握り部材の向かい合う二箇所のタンデム接続穴に引っ掛けられる。
【００１３】
該弾性部材は弾性縄であり、弾性縄が両握り部材の全てのタンデム接続穴部材に巻き付けられる。
【００１４】
該連接リングの周縁に複数のロック穴が設けられ、両握り部材の連接リング部材にそれぞれカバーが設けられ、該カバーが等しい数量のボルトによって該ロック穴部材に締め付けられる。また該カバーはそれぞれ該軸体の阻止部材に向かってシェルカバーが伸び、該シェルカバーによって該弾性部材を阻止し、遮蔽される。
【００１５】
本考案の第一の主な目的は、ローラーが後ろに向かって回転する時、該握り部材は右ねじ山部、左ねじ山部に沿ってローラー側に向かって位置を移動できることである。同時に該握り部材は両側ローラー方向に向かって該弾性部材を伸ばせる。またローラーが前に向かって回転する時、該握り部材は右ねじ山部、左ねじ山部に沿って軸体の阻止部材側に向かって位置移動できる。該弾性部材の弾性収縮は握り部材が元位置に戻す補助力に形成できるため、ローラーが前後に回転させてトレーニングする際は手が両側に開けるトレーニング動作にもなり、また弾性部材を利用して両握り部材を連接させることで省力操作の効果が達せるため、トレーニング過程がより面白く、体の多くの部材に対する運動にもなり、有効に運動トレーニングの効果が向上できる。
【００１６】
本考案の第二の主な目的は、該カバー体の位置限定溝はローラーのリブと噛み合わせることである。また該Ｕ型弾性板の突起部が連結部の内側より外側に向かって突き出ると同時に該カバー体の貫通孔に貫通するために軸体、ローラーとカバー体が速やかに組み立てられる。該Ｕ型弾性板の突起部を押さえた時、カバー体が該軸体より外れるため、ローラー、弾性部材及び握り部材は直接に軸体より取り外せることで、操作安定性を備えた上に組み立てやすく、取り外しやすく効果が得られる以外、携帯または収納しやすいといった実用性の機能も兼ねる。
【図面の簡単な説明】
【００１７】
【図１】図１は、本考案に係るローラートレーニング器具の立体図である。
【図２】図２は、本考案に係るローラートレーニング器具の立体分解図である。
【図３】図３は、本考案に係るローラートレーニング器具の断面図である。
【図４】図４は、本考案の使用状態を示す図（一）である。
【図５】図５は、本考案の使用状態を示す図（二）である。
【図６】図６は、本考案の使用状態を示す図（三）である。
【図７】図７は、本考案に係るローラートレーニング器具の別の実施例の立体図である。
【図８】図８は、本考案に係るローラートレーニング器具のもう一つの実施例の立体図である。
【図９】図９は、本考案に係るローラートレーニング器具のまた別の実施例の立体分解図である。
【図１０】図１０は、本考案に係るローラートレーニング器具のまた別の実施例の立体図である。
【図１１】図１１は、従来のローラートレーニング器具を示す図である。
【考案を実施するための形態】
【００１８】
まず、図１と図２に示されるように、軸体１０、二つの握り部材２０と複数のローラー３０を含み、軸体１０の表面に対称的に右ねじ山部１１と左ねじ山部１２が形成され、該右ねじ山部１１と左ねじ山部１２の間に阻止部材１３が設けられ、また該軸体１０の両端にそれぞれ連結部１４が設けられる。該軸体１０は連結部１４の内側にＵ型弾性板１５が設けられ、また該Ｕ型弾性板１５の両端にそれぞれ突起部１５１が設けられる。両握り部材２０はそれぞれ穿孔２１が開けられ、また該穿孔２１の内壁面に内ねじ山部２２が形成される。該握り部材２０はそれぞれ穿孔２１によって該軸体１０の右ねじ山部１１と左ねじ山部１２に取り付けられることで、該内ねじ山部２２が該右ねじ山部１１と左ねじ山部１２に噛み合わせられる。両握り部材２０は阻止部材１３に向かって連接リング２３がそれぞれ形成され、また両連接リング２３の間に少なくとも一つの弾性部材２４が連結される。ここで、該握り部材２０は連接リング２３部材に放射線状に複数の切開溝２３１が設けられる。また該切開溝２３１の底部にタンデム接続穴２３２が形成され、該切開溝２３１に弾性部材２４が入れられ、弾性部材２４が該タンデム接続穴２３２部材に位置限定される。該弾性部材２４は弾力リングであり、弾力リングが両握り部材２０の間にある隣同士の四箇所のタンデム接続穴２３２に巻き付けられる。複数のローラー３０は全て中央に軸穴３１が設けられ、また該軸体１０の連結部１４にはスリーブ１６が取り付けられ、該スリーブ１６が該ローラー３０の軸穴３１部材に通される。また該ローラー３０は軸穴３１に合わせて該軸体１０両端の連結部１４に取り付けられる。そして、該ローラー３０は該軸体１０の連結部１４の両末端にはそれぞれカバー体３２が取り付けられ、該カバー体３２に両貫通孔３２１が開けられ、また該Ｕ型弾性板１５の突起部１５１が連結部１４と貫通孔３２１を突き抜いたことで該カバー体３２と該軸体１０を速やかに取り外せて固定される。それに該カバー体３２によって該ローラー３０と軸体１０は結合して固定される。該軸体１０の右ねじ山部１１と左ねじ山部１２は該連結部１４と連結する部材にそれぞれ阻止リング１７が形成され、また該ローラー３０は該阻止リング１７と該カバー体３２の間に挟まれる。該ローラー３０は軸穴３１側より外に向かって放射線状に複数のリブ３３が形成される。また該カバー体３２は該ローラー３０方向に向かって複数の位置限定溝３２２が形成され、該カバー体３２は位置限定溝３２２によって該ローラー３０のリブ３３に取り付けられることで該カバー体３２とローラー３０は同時回転される。ローラー３０が前後に回転する時、両握り部材２０は右ねじ山部１１と左ねじ山部１２に沿って同時に内移動と外移動の動作が生じ、弾性部材２４によって握り部材２０間で阻止部材１３側に向かう慣性引張力が形成されるため、ローラー３０運動によるトレーニング効果が強化できる。
【００１９】
構造の組み立てについては引き続き図１、２、３を参照されたい。両握り部材２０はそれぞれ穿孔２１によって該軸体１０の右ねじ山部１１と左ねじ山部１２に取り付けられ、また該握り部材２０の連接リング２３は軸体１０の阻止部材１３に向かうため、握り部材２０が内ねじ山部２２によって右ねじ山部１１と左ねじ山部１２に沿って軸体１０に回し付けられる。さらに握り部材２０の連接リング２３部材に弾性部材２４が連結され、該弾性部材２４は連接リング２３の切開溝２３１に入れられることによって該タンデム接続穴２３２に位置を限定されるため、握り部材２０は弾性部材２４の引っ張りによって阻止部材１３に近い位置に保たれる。さらにローラー３０の軸穴３１部材にスリーブ１６が取り付けられ、またローラー３０のスリーブ１６部材を軸体１０の連結部材１４に取り付けさせることで、ローラー３０が阻止リング１７に留まって該軸体１０の両端に位置する。さらに連結部材１４にカバー体３２を取り付けさせ、カバー体３２の位置限定溝３２２がローラー３０のリブ３３と噛み合わせる。また該Ｕ型弾性板１５の突起部１５１は連結部１４の内側より外側に向かって突き出ると同時に該カバー体３２の貫通孔３２１に貫通するために軸体１０、ローラー３０とカバー体３２が速やかに組み立てられる。また握り部材２０を該軸体１０の阻止部材１３とローラー３０の間にだけ位置の移動が制限でき、これによって、該Ｕ型弾性板１５の突起部１５１を押さえた時、カバー体３２が該軸体１０より外れるため、ローラー３０、弾性部材２４及び握り部材２０は直接に軸体１０より取り外せることで、操作安定性を備えた上に組み立てやすく、取り外しやすく効果が得られる以外、携帯または収納しやすいといった実用性の機能も兼ねる。
【００２０】
トレーニングする際については引き続き図２から図６に参照されたい。使用者が両手で該握り部材２０を握って、そして力を加えてローラー３０を平面に回転させることができる。ローラー３０が前後に回転することで手の筋肉に対してトレーニングとなると同時に両足の支えと合わせて肩、腰と両足のトレーニング効果にもなる。注目すべきなのは軸体１０には相対的に右ねじ山部１１と左ねじ山部１２が設けられ、該握り部材２０は穿孔２１の内壁に内ねじ山部２２が形成される。内ねじ山部２２、右ねじ山部１１と左ねじ山部１２との噛み合い連動によって、ローラー３０が後ろに向かって回転する時、該握り部材２０は両手によってしっかり握られて同時に回転しないため、該握り部材２０は右ねじ山部１１、左ねじ山部１２に沿ってローラー３０側に向かって位置を移動される。同時に該握り部材２０は両側ローラー３０方向に向かって該弾性部材２４を引っ張る。またローラー３０は前に向かって回転する時、該握り部材２０は右ねじ山部１１、左ねじ山部１２に沿って軸体１０の阻止部材１３側に向かって位置移動する。該弾性部材２４の弾性収縮は握り部材２０が元位置に戻す補助力に形成できるため、使用者が簡単に元の動作に戻せる。反対に、これによって握り部材２０の相対する間隔が変えられ、前後に回転させてトレーニングする際は手が両側に開けるトレーニング動作にもなり、また弾性部材２４を利用して両握り部材２０を連接させることで省力操作の効果が達せるため、トレーニング過程がより面白く、体の多くの部位に対する運動にもなり、有効に運動トレーニングの効果が向上できる。
【００２１】
本考案の別の実施例については図７を参照されたい。該弾性部材２４は伸縮バネであり、伸縮バネが両握り部材２０の向かい合う二箇所のタンデム接続穴２３２に引っ掛けられる。本考案のもう一つの実施例については図８を参照されたい。該握り部材２０は連接リング２３部材に複数のタンデム接続穴２３２が貫通され、また該タンデム接続穴２３２が弾性部材２４の連結固定に提供される。それから、該弾性部材２４は弾性縄であり、弾性縄が両握り部材２０の全てのタンデム接続穴２３２部材に巻き付けられる。上述の全ての構造は両握り部材２０の間に弾性部材２４を連結させた使用目的が達成できるため、本考案の有効的な実施方式である。本考案のまた別の実施例については引き続き図９と図１０を参照されたい。該連接リング２３の周縁に複数のロック穴２３３が設けられ、両握り部材２０の連接リング２３部材にそれぞれカバー２５が設けられ、該カバー２５が等しい数量のボルト２５１によって該ロック穴２３３部材に締め付けられる。また該カバー２５はそれぞれ該軸体１０の阻止部材１３に向かってシェルカバー２５２が伸び、該シェルカバー２５２によって該弾性部材２４を阻止し、遮蔽される。
【００２２】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２３】
１０        軸体
１１        右ねじ山部
１２        左ねじ山部
１３        阻止部材
１４        連結部
１５        Ｕ型弾性板
１５１      突起部
１６        スリーブ
１７        阻止リング
２０        握り部材
２１        穿孔
２２        内ねじ山部
２３        連接リング
２３１      切開溝
２３２      タンデム接続穴
２３３      ロック穴
２４        弾性部材
２５        カバー
２５１      ボルト
２５２      シェルカバー
３０        ローラー
３１        軸穴
３２        カバー体
３２１      貫通孔
３２２      位置限定溝
３３        リブ
４０        ローラートレーニング器具
４１        軸体
４２        ローラー
４３        ナット
４４        粗面
【図１】
0003210047.tif 000003
【図２】
0003210047.tif 000004
【図３】
0003210047.tif 000005
【図４】
0003210047.tif 000006
【図５】
0003210047.tif 000007
【図６】
0003210047.tif 000008
【図７】
0003210047.tif 000009
【図８】
0003210047.tif 000010
【図９】
0003210047.tif 000011
【図１０】
0003210047.tif 000012
【図１１】
0003210047.tif 000013